(57)【要約】【課題】  本体側壁に装着され、本体より突出する集塵アダプタ１３であっても、邪魔にならず作業効率が低下しない、集塵アダプタ付き電動工具を提供する。【解決手段】  本体に内蔵されたモータによって出力軸に取り付けられた先端工具を回転又は往復運動させることにより、被加工対象物を切断または研削または穿孔また削る集塵アダプタ付き電動工具において、作業中に発生した粉塵は前記モータに連結されたファンによる吸引力および排気風、又は外部に設置した集塵装置の吸引力により前記本体内部に設けられた風路を通り、前記風路に接続する集塵袋を有した集塵アダプタまたは、集塵装置のホースに接続された集塵アダプタが風路の相対する壁にそれぞれ設けられた本体外部に貫通した対称な穴に本体外部からどちら側からでも接続可能なことを特徴とする。【選択図】図６
2009220215.tif 000002
【特許請求の範囲】
【請求項１】
本体に内蔵されたモータによって出力軸に取り付けられた先端工具を回転又は往復運動させることにより、被加工対象物を切断または研削または穿孔または削る集塵アダプタ付き電動工具において、作業中に発生した粉塵は前記モータに連結されたファンによる吸引力および排気風、又は外部に設置した集塵装置の吸引力により前記本体内部に設けられた風路を通り、前記風路に接続する集塵袋を有した集塵アダプタまたは、集塵装置のホースに接続された集塵アダプタが風路の相対する壁にそれぞれ設けられた本体外部に貫通した対称な穴に本体外部からどちら側からでも接続可能なことを特徴とする集塵アダプタ付き電動工具。
【請求項２】
前記集塵アダプタの先端が前記工具本体の貫通穴の挿入側の逆の穴を塞ぐことを特徴とする集塵アダプタ付き電動工具。
【請求項３】
前記集塵アダプタの集塵口が前記本体風路の内壁内に位置するように設けたことを特徴とする集塵アダプタ付き電動工具。
【請求項４】
前記集塵アダプタの集塵口が前記本体風路の内壁内に位置するように集塵アダプタの外壁に本体外壁と突き当てを設けたことを特徴とする集塵アダプタ付き電動工具。
【請求項５】
前記集塵アダプタが前記本体貫通穴に固定するための集塵アダプタ外壁と貫通穴内壁が圧入される突起を設けたことを特徴とする集塵アダプタ付き電動工具。
【発明の詳細な説明】
【技術分野】
【０００１】
本発明は、本体に内蔵されたモータによって出力軸に取り付けられた先端工具を回転又は往復運動させることにより、被加工対象物を切断または研削または穿孔または削る電動工具に関するものである。
【背景技術】
【０００２】
電動工具の一例としてオービタルサンダを用いて説明する。従来のバッテリー搭載の集塵アダプタ付オービタルクサンダを図１乃至図５を用いて説明する。
【０００３】
図１に示すように、オービタルクサンダの偏心回転するパット１に貼り付けられたサンドぺーパー２により被研削物３は削られ、研削粉４が発生する。発生した研削紛４は、モータ５に連結したバランスファン６と、バランスファン６の周囲を覆うファンガイド７により生じる吸引力により、パット１とサンドペーパー２に設けられた穴８を通り、ファン６の中心から外周に向かって飛散し、ファン６とファンガイド７の隙間９に排出される。
【０００４】
ファンガイド７には壁面に１箇所穴１０が設けられており、穴１０は本体内部に形成され、本体外部につながる排出用風路１１と接続されている。ファン６とファンガイド７の隙間９に排出された研削紛４はファンガイドの穴１０から、排出用風路１１を通って、本体外壁片側に設けられた前記排出風路に繋がった穴１２に接続された集塵アダプタ１３の集塵袋１４内に集塵される。
【０００５】
また、集塵装置１５ａのホース１５に接続した集塵アダプタ１３ａを接続した場合、集塵装置１５ａの吸引力により集塵される。
【０００６】
排出風路１１に繋がった穴１２は本体外壁片側にしかなく、集塵アダプタ１３又は１３ａは本体の決められた側にしか装着できない。また、集塵アダプタ１３、又は１３ａは、前記パット１より突出してしまう構造となっている。
【０００７】
【特許文献１】特開２００６−２５５８０８号公報
【発明の開示】
【発明が解決しようとする課題】
【０００８】
上記した従来のバッテリー搭載の集塵アダプタ付オービタルクサンダでは、図５に示すように、集塵アダプタ１３が本体のあらかじめ決められた側だけにしか装着できないため、被研削物３の隅部に研削面に垂直な壁３ａなどがある被研削物の際３ｂを研削する場合、集塵アダプタ１３が接続されている側は前記パット１より集塵アダプタ１３が突出しているので、集塵アダプタ１３取付け側では前記集塵アダプタ１３と前記壁３ａが接触し、被研削物の際３ｂの研削がやりにくく、本体の方向を変える、集塵機能を取り外す等、作業効率が低下するという欠点があった。
【０００９】
本発明の目的は、上記従来の欠点を解消し、本体側壁に装着され、本体より突出する集塵アダプタ１３であっても、邪魔にならず作業効率が低下しない、集塵アダプタ付き電動工具を提供することである。
【課題を解決するための手段】
【００１０】
上記課題を解決するために、本体に内蔵されたモータによって出力軸に取り付けられた先端工具を回転又は往復運動させることにより、被加工対象物を切断または研削または穿孔また削る集塵アダプタ付き電動工具において、作業中に発生した粉塵は前記モータに連結されたファンによる吸引力および排気風、又は外部に設置した集塵装置の吸引力により前記本体内部に設けられた風路を通り、前記風路に接続する集塵袋を有した集塵アダプタまたは、集塵装置のホースに接続された集塵アダプタが風路の相対する壁にそれぞれ設けられた本体外部に貫通した対称な穴に本体外部からどちら側からでも接続可能なことを特徴とする。
【００１１】
また、前記集塵アダプタの先端が前記工具本体の貫通穴の挿入側の逆の穴を塞ぐことを特徴とする。
【００１２】
また、前記集塵アダプタの集塵口が前記本体風路の内壁内に位置するように設けたことを特徴とする。
【００１３】
また、前記集塵アダプタの集塵口が前記本体風路の内壁内に位置するように集塵アダプタの外壁に本体外壁と突き当てを設けたことを特徴とする。
【００１４】
また、前記集塵アダプタが前記本体貫通穴に固定するための集塵アダプタ外壁と貫通穴内壁が圧入される突起を設けたことを特徴とする。
【発明の効果】
【００１５】
本発明の集塵アダプタ付き電動工具は、本体に内臓されたモータによって出力軸に取り付けられた先端工具を回転又は往復運動させることにより、被加工対象物を切断または研削または穿孔または削る工具において、本体側壁に装着され、本体より突出する集塵アダプタであっても、作業の邪魔にならず効率良く作業ができる。
【発明を実施するための最良の形態】
【００１６】
本発明バッテリー搭載の集塵アダプタ付きオービタルクサンダの一実施形態を図６乃至図１２を用いて説明する。なお、集塵アダプタ付き電動工具の一例としてオービタルサンダを用いて説明するがこれに限定されるものではない。
【００１７】
図６に示すように、オービタルクサンダはバッテリー１６からスイッチ１７を介しモータ５から供給された電力により、モータ５は回転する。モータ５の出力軸５ａはバランスファン６と連結している。バランスファン６は研削用サンドペーパー２が貼り付いたパット１に挿入されたボールベアリング１８の中心軸と任意の偏心量をもった軸６ａが設けられ、軸６ａは、ボールベアリング１８に挿入されている。これにより、パット１はモータ軸５ａに対して偏心回転を行う。また、これにより生じたアンバランスを打ち消すための錘がバランスファン６には設けられている。またパット１は本体と柔軟性を持った部材１９で結合されており、パット１が本体からはずれることはない。パット１とサンドペーパー２には同一箇所に貫通穴８が開けられている。バランスファン６の周囲はファンガイド７により囲まれており、ファンガイド７には羽根６ｂの下方のバランスファン６中心部付近の穴７ａとファン外周部の内壁の穴１０が設けられている。ファンガイド内壁の穴１０は本体内に形成された粉塵排出用風路１１と接続している。風路１１は本体外壁に開いた穴１２と繋がっている。穴１２は風路１１の相対する壁１１ａ、１１ｂにそれぞれ設けられた本体外部まで貫通した対称な穴１２ａ、１２ｂとなっている。貫通穴１２は本体外部から集塵アダプタ１３が差し込まれている。集塵アダプタ１３はＬ字形のパイプ状に形成されている。貫通穴１２に差し込む部分２０の外形は穴１２より若干小さい形状になっている。差し込まれる部分２０の先端には壁２０ａが設けられている。差し込まれる部分２０を穴１２ａに差し込んで行ったとき、先端の壁２０ａが差し込んだ反対側の穴１２ｂを蓋する役目となる構造になっている。また、この位置以上入り込まないように突き当ての鍔２０ｂが設けられている。鍔２０ｂの手前には突起２０ｃが設けられており、貫通穴１２の壁面に圧入されるようになっている。これにより集塵アダプタ１３を抜けずらくして、固定している。差し込まれる部分２０には、風路１１内の内壁１１ａ、１１ｂの間に穴２１が設けられている。穴２１は集塵アダプタ１３内を通り集塵袋１４に繋がっている。
【００１８】
集塵アダプタ１３は本体貫通穴１２部が対称な形状となっているため、本体のどちら側からでも差込可能となっている。
【００１９】
パット１に貼り付けられたサンドペーパー２が偏心回転運動をすることにより、被加工物３より削られた研削紛４は、バランスファン６が回転することによる吸引力で、サンドペーパー２とパット１に設けられた貫通穴８を通り、ファンガイド７の穴７ａからファン６中心部から外周部へと飛散していきファン６とファンガイド７の隙間９に排出される。ファン６とファンガイド７の隙間９に排出された研削紛４はファンガイド７の内壁の穴７ａから、排出用風路１１を通って、風路１１の相対する壁１１ａ、１１ｂにそれぞれ設けられた貫通穴１２ａ、１２ｂに差し込まれている集塵アダプタ１３の穴２１から集塵袋１４へと運ばれ、そこで堆積する。
【００２０】
図１２に示すように被加工物３に垂直な壁３ａがある場合、当初本体の集塵アダプタ装着側で壁の際３ｂまで研削できない場合、集塵アダプタ１３を反対側に装着することで、研削物の際３ｂまで研削することができる。
【図面の簡単な説明】
【００２１】
【図１】従来の電動工具の一例を示す側面断面および上面図。
【図２】従来の電動工具の構成する部分一実施形態を示す要部拡大上面断面図。
【図３】従来の電動工具の一実施形態を示す要部拡大上面断面図および側面図。
【図４】従来の電動工具の構成する部分一実施形態を示す要部拡大上面断面図。
【図５】従来の電動工具の使用一実施形態を示す上面図。
【図６】本発明電動工具の一実施形態を示す側面断面図および上面図。
【図７】本発明電動工具の構成する部分一実施形態を示す要部拡大上面断面図。
【図８】本発明電動工具の構成する部分一実施形態を示す要部拡大上面断面図および側面図。
【図９】本発明電動工具の構成する部分一実施形態を示す要部拡大上面断面図。
【図１０】本発明電動工具の構成する部分一実施形態を示す要部拡大上面断面図。
【図１１】本発明電動工具の使用一実施形態を示す上面図
【図１２】本発明電動工具の使用一実施形態を示す上面図
【符号の説明】
【００２２】
１：パット、２：サンドペーパー、３：被研削物、３ａ：研削物の壁、３ｂ：研削物の際、４：研削分、５：モータ、６：バランスファン、７：ファンガイド、７ａ：ファンガイド中央の穴、８：パットとサンドペーパーの貫通穴、９：隙間、１０：ファンガイド内壁穴、１１：排出用通路、１１ａ，１１ｂ：排出用風路側壁、１２，１２ａ，１２ｂ：本体貫通穴、１３、１３ａ：集塵アダプタ、１４：集塵袋、１５：集塵ホース、１５ａ：集塵装置、１６：バッテリー、１７スイッチ、１８：ボールベアリング、１９：柔軟性を持った部材、２０：集塵アダプタの差込部、２０ａ：集塵アダプタ先端の壁、２０ｂ：集塵アダプタの鍔、２０Ｃ：集塵アダプタの突起、２１集塵アダプタの穴、
【図１】
2009220215.tif 000003
【図２】
2009220215.tif 000004
【図３】
2009220215.tif 000005
【図４】
2009220215.tif 000006
【図５】
2009220215.tif 000007
【図６】
2009220215.tif 000008
【図７】
2009220215.tif 000009
【図８】
2009220215.tif 000010
【図９】
2009220215.tif 000011
【図１０】
2009220215.tif 000012
【図１１】
2009220215.tif 000013
【図１２】
2009220215.tif 000014